(57)【要約】【課題】位置検出器を低コスト・省スペース化できる位置検出装置及びこれを用いた同期電動機を提供することにある。【解決手段】同期電動機１２０は、複数の爪磁極を有する１対のコアを有し、それぞれのコアの爪磁極が回転方向に交互に配置されるポールコア９を備える回転子１１を有する。１対のコアの内、一方のコアについて、磁性部と非磁性部とを交互に有し、それによって磁性体を構成する。磁気センサ部２００は、回転子の磁性部を磁路に含む磁気回路を形成する磁性ヨーク２１０，２３０と、磁気回路をバイアスする永久磁石２４０と、磁磁気回路中に配置され、永久磁石によって磁気回路がバイアスされたとき、磁性体の回転に伴って、磁性体の磁性部と非磁性部とが磁気回路を周期的に横切る際に生じる磁束密度の変化を検出する磁気センサ２２０を備える。【選択図】図１
2008178227.tif 000002
【特許請求の範囲】
【請求項１】
磁性部と非磁性部とが交互に並ぶように構成され、かつ回転側の磁極を形成するための磁束が流れる回転磁性体を備えた回転電機に用いられる位置検出装置であって、
少なくとも２つのセンサ部を有し、
前記センサ部は、前記回転磁性体から前記磁極形成用磁束を受けるように、前記回転磁性体の対向側に空隙を介して配置されていると共に、前記回転磁性体の回転によって生じる前記磁極形成用磁束の変化に応じた信号を出力する磁気センサを有する
ことを特徴とする位置検出装置。
【請求項２】
請求項１に記載の位置検出装置において、
前記回転磁性体は、前記磁性部と前記非磁性部とが周方向に交互に並べられた回転子鉄心であり、
前記センサ部は、前記回転子鉄心から前記磁極形成用磁束を受けるための磁気回路を構成する磁性ヨークを備え、前記磁性ヨークに前記磁気センサを取り付けた状態で、前記回転子鉄心の回転によって前記回転子鉄心の前記磁性部と前記非磁性部とが周期的に変化する部位に対向配置されている
ことを特徴とする位置検出装置。
【請求項３】
請求項２に記載の位置検出装置において、
前記センサ部は、前記磁気回路をバイアスするための磁石を有する
ことを特徴とする位置検出装置
【請求項４】
請求項１に記載の位置検出装置において、
前記回転磁性体は、前記磁性部と前記非磁性部とが周方向に交互に並べられ、かつ前記磁極を構成する回転子鉄心に磁気的に接続された回転部材であり、
前記センサ部は、前記回転部材から前記磁極形成用磁束を受けるための磁気回路を構成する磁性ヨークを備え、前記磁性ヨークに前記磁気センサを取り付けた状態で、前記回転子鉄心の回転によって前記回転部材の前記磁性部と前記非磁性部とが周期的に変化する部位に対向配置されている
ことを特徴とする位置検出装置。
【請求項５】
請求項４に記載の位置検出装置において、
前記センサ部は、前記磁気回路をバイアスするための磁石を有する
ことを特徴とする位置検出装置。
【請求項６】
請求項１記載の位置検出装置において、
前記回転電機は、同期機であり、
前記同期機は、複数の爪磁極を有する１対のコアを有し、それぞれのコアの爪磁極が回転方向に交互に配置されるポールコアを備える回転子を有し、
前記磁性体は、前記１対のコアの内、一方のコアについて、磁性部と非磁性部とを交互に有し、それによって前記磁性体を構成し、
前記磁気センサ部は、
前記回転子の磁性部を磁路に含む磁気回路を形成する磁性ヨークと、
前記磁気回路をバイアスする永久磁石と、
前記磁磁気回路中に配置され、前記永久磁石によって前記磁気回路がバイアスされたとき、前記磁性体の回転に伴って、前記磁性体の前記磁性部と前記非磁性部とが前記磁気回路を周期的に横切る際に生じる磁束密度の変化を検出する磁気センサとを備えることを特徴とする位置検出装置。
【請求項７】
請求項１記載の位置検出装置において、
前記回転電機は、同期機であり、
前記同期機は、
複数の爪磁極を有する１対のコアを有し、それぞれのコアの爪磁極が回転方向に交互に配置されるポールコアと、
前記ポールコアの内部に配置された界磁コイルとを備える回転子を有し、
前記磁性体は、前記１対のコアの内、一方のコアについて、磁性部と非磁性部とを交互に有し、それによって前記磁性体を構成し、
前記磁気センサ部は、
前記回転子の磁性部を磁路に含む磁気回路を形成する磁性ヨークと、
前記磁磁気回路中に配置され、前記界磁コイルから発生する漏れ磁束により、前記磁性体の回転に伴って、前記磁性体の前記磁性部と前記非磁性部とが前記磁気回路を周期的に横切る際に生じる磁束密度の変化を検出する磁気センサとを備えることを特徴とする位置検出装置。
【請求項８】
請求項１記載の位置検出装置において、
前記回転電機は、同期機であり、
前記同期機は、
複数の爪磁極を有する１対のコアを有し、それぞれのコアの爪磁極が回転方向に交互に配置されるポールコアと、
前記ポールコアの交互に配置された爪磁極の間に配置された永久磁石とを備える回転子を有し、
前記磁性体は、前記１対のコアの内、一方のコアについて、磁性部と非磁性部とを交互に有し、それによって前記磁性体を構成し、
前記磁気センサ部は、
前記回転子の磁性部を磁路に含む磁気回路を形成する磁性ヨークと、
前記磁磁気回路中に配置され、前記永久磁石から発生する漏れ磁束により、前記磁性体の回転に伴って、前記磁性体の前記磁性部と前記非磁性部とが前記磁気回路を周期的に横切る際に生じる磁束密度の変化を検出する磁気センサとを備えることを特徴とする位置検出装置。
【請求項９】
請求項１記載の位置検出装置において、
前記回転電機は、同期機であり、
前記同期機は、
複数の爪磁極を有する１対のコアを有し、それぞれのコアの爪磁極が回転方向に交互に配置されるポールコアと、
前記ポールコアの交互に配置された爪磁極の間に配置された永久磁石とを備える回転子を有し、
前記磁性体は、前記ポールコアの回転軸方向の端部に設けられ、磁性部と非磁性部とを交互に有することを特徴とする位置検出装置。
【請求項１０】
請求項１記載の位置検出装置において、
前記磁気センサ部は、アナログ出力の磁気センサを備えることを特徴とする位置検出装置。
【請求項１１】
請求項１０記載の位置検出装置において、
上記アナログ出力の信号は、ロータの回転に伴う磁性部と非磁性部の周期を基本波以外の高調波成分を含んだアナログ信号であり、
前記アナログ信号から基本波成分を抽出する基本波抽出手段を備えることを特徴とする位置検出装置。
【請求項１２】
複数の爪状鉄心部を備えた１対の鉄心から構成され、かつ前記鉄心の一方の前記爪状鉄心部と前記鉄心の他方の前記爪状鉄心部とが回転方向に交互に配置され、さらには前記鉄心に巻かれた巻線の励磁により生じた磁束によって前記爪状鉄心部が磁化されるルンデル型回転子を有する回転電機に用いられ、しかも磁性部と非磁性部とが交互に配置されるように前記ルンデル型回転子に構成された回転磁性体を被検出体とする位置検出装置であって、
少なくとも２つのセンサ部を有し、
前記センサ部は、前記回転磁性体から前記磁化用磁束を受けるように、前記回転磁性体の対向側に空隙を介して配置され、前記回転磁性体の回転によって生じる前記磁化用磁束の変化に応じたアナログ信号を出力する磁気センサを有する
ことを特徴とする位置検出装置。
【請求項１３】
請求項１２に記載の位置検出装置において、
前記回転磁性体は、前記爪状鉄心部を前記磁性部とし、隣接する前記爪状鉄心部の間の空隙を前記非磁性部とする前記鉄心の一方である
ことを特徴とする位置検出装置。
【請求項１４】
請求項１２に記載の位置検出装置において、
前記回転磁性体は、前記鉄心の一方に磁気的に接続された回転部材である
ことを特徴とする位置検出装置。
【請求項１５】
固定子と、
該固定子に空隙を介して対向配置されて回転自在に保持された回転子と、
該回転子の位置を検出するための位置検出装置と、を有し、
前記位置検出装置は、少なくとも２つのセンサ部を備え、磁性部と非磁性部とが交互に配置され、かつ前記回転子の磁極を形成するための磁束が流れる回転磁性体を被検出体としており、
前記センサ部は、前記回転磁性体から前記磁極形成用磁束を受けるように、前記回転磁性体の対向側に空隙を介して配置されていると共に、前記回転磁性体の回転によって生じる前記磁極形成用磁束の変化に応じた信号を出力する磁気センサを有する
ことを特徴とする回転電機。
【請求項１６】
請求項１５に記載の回転電機において、
前記回転磁性体は、前記磁性部と前記非磁性部とが周方向に交互に並べられた前記回転子の鉄心であり、
前記センサ部は、前記回転子鉄心から前記磁極形成用磁束を受けるための磁気回路を構成する磁性ヨークを備え、前記磁性ヨークに前記磁気センサを取り付けた状態で、前記回転子鉄心の回転によって前記回転子鉄心の前記磁性部と前記非磁性部とが周期的に変化する部位に対向配置されている
ことを特徴とする回転電機。
【請求項１７】
請求項１６に記載の回転電機において、
前記センサ部は、前記磁気回路をバイアスするための磁石を有する
ことを特徴とする回転電機。
【請求項１８】
請求項１５に記載の回転電機において、
前記回転磁性体は、前記磁性部と前記非磁性部とが周方向に交互に並べられ、かつ前記回転子の磁極を構成する回転子鉄心に磁気的に接続された回転部材であり、
前記センサ部は、前記回転部材から前記磁極形成用磁束を受けるための磁気回路を構成する磁性ヨークを備え、前記磁性ヨークに前記磁気センサを取り付けた状態で、前記回転子鉄心の回転によって前記回転部材の前記磁性部と前記非磁性部とが周期的に変化する部位に対向配置されている
ことを特徴とする回転電機。
【請求項１９】
請求項１８に記載の回転電機において、
前記センサ部は、前記磁気回路をバイアスするための磁石を有する
ことを特徴とする回転電機。
【請求項２０】
固定子と、
該固定子に空隙を介して対向配置されて回転自在に保持されていると共に、複数の爪状鉄心部を備えた１対の鉄心から構成され、かつ前記鉄心の一方の前記爪状鉄心部と前記鉄心の他方の前記爪状鉄心部とが回転方向に交互に配置され、さらには前記鉄心に巻かれた巻線の励磁により生じた磁束によって前記爪状鉄心部が磁化されるルンデル型回転子と、
該ルンデル型回転子の位置を検出するための位置検出装置と、を有し、
前記位置検出装置は、少なくとも２つのセンサ部を備えると共に、磁性部と非磁性部とが交互に配置されるように前記ルンデル型回転子に構成された回転磁性体を被検出体としており、
前記センサ部は、前記回転磁性体から前記磁化用磁束を受けるように、前記回転磁性体の対向側に空隙を介して配置され、前記回転磁性体の回転によって生じる前記磁化用磁束の変化に応じたアナログ信号を出力する磁気センサを有する
ことを特徴とする回転電機。
【請求項２１】
請求項２０に記載の回転電機において、
前記回転磁性体は、前記爪状鉄心部を前記磁性部とし、隣接する前記爪状鉄心部の間の空隙を前記非磁性部とする前記鉄心の一方である
ことを特徴とする回転電機。
【請求項２２】
請求項２０に記載の回転電機において、
前記回転磁性体は、前記鉄心の一方に磁気的に接続された回転部材である
ことを特徴とする回転電機。
【請求項２３】
前後輪の内一方の車輪をエンジンにより駆動し、他方の車輪を同期電動機により駆動する電動４輪駆動車に用いられ、
前記同期電動機と、
前記同期電動機の磁極位置を磁気センサを用いて検出する位置検出装置と、
前記エンジンよって駆動される発電機からの直流出力を交流出力に変換して、前記同期電動機の電機子巻線に供給するインバータと、
前記位置検出装置によって検出された磁極位置に基づいて、前記同期電動機の制御の位置情報として用いると共に、前記発電機の界磁電流，前記インバータの出力電圧，前記同期電動機の界磁電流を制御する制御手段とを備えることを特徴とする４輪駆動用車両駆動装置であって、
前記同期電動機は、
固定子と、
該固定子に空隙を介して対向配置されて回転自在に保持された回転子と、
該回転子の位置を検出するための位置検出装置と、を有し、
前記回転子は、複数の爪磁極を有する１対のコアを有し、それぞれのコアの爪磁極が回転方向に交互に配置されるポールコアを有し、
前記位置検出装置は、
前記１対のコアの内、一方のコアであって、磁性部と非磁性部とを交互に有する磁性体と、
前記磁性体に対して、空隙を介して配置され、前記磁性体の回転によって生じる磁束密度の変化を検出し、アナログ出力する少なくとも２つの磁気センサ部とを有し、
前記磁気センサ部の出力により、前記回転電機の位置を検出することを特徴とする４輪駆動用車両駆動装置。
【請求項２４】
前後輪の内一方の車輪をエンジンにより駆動し、他方の車輪を同期電動機により駆動する電動４輪駆動車に用いられ、
前記同期電動機と、
前記同期電動機の磁極位置を磁気センサを用いて検出する位置検出装置と、
前記エンジンよって駆動される発電機からの直流出力を交流出力に変換して、前記同期電動機の電機子巻線に供給するインバータと、
前記位置検出装置によって検出された磁極位置に基づいて、前記同期電動機の制御の位置情報として用いると共に、前記発電機の界磁電流，前記インバータの出力電圧，前記同期電動機の界磁電流を制御する制御手段とを備えることを特徴とする４輪駆動用車両駆動装置であって、
前記同期電動機は、
固定子と、
該固定子に空隙を介して対向配置されて回転自在に保持されていると共に、複数の爪状鉄心部を備えた１対の鉄心から構成され、かつ前記鉄心の一方の前記爪状鉄心部と前記鉄心の他方の前記爪状鉄心部とが回転方向に交互に配置され、さらには前記鉄心に巻かれた巻線の励磁により生じた磁束によって前記爪状鉄心部が磁化されるルンデル型回転子と、
該ルンデル型回転子の位置を検出するための位置検出装置と、を有し、
前記位置検出装置は、
前記１対のコアの内、一方のコアであって、磁性部と非磁性部とを交互に有する磁性体と、
前記磁性体に対して、空隙を介して配置され、前記磁性体の回転によって生じる磁束密度の変化を検出し、アナログ出力する少なくとも２つの磁気センサ部とを有し、
前記磁気センサ部の出力により、前記回転電機の位置を検出することを特徴とする４輪駆動用車両駆動装置。
【請求項２５】
前後輪の内一方の車輪をエンジン及び同期電動機により駆動し、
前記同期電動機は、モータ・ジェネレータであるハイブリッド自動車に用いられ、
前記同期電動機と、
前記同期電動機の磁極位置を磁気センサを用いて検出する位置検出装置と、
前記エンジンよって駆動される発電機からの直流出力を交流出力に変換して、前記同期電動機の電機子巻線に供給するインバータと、
前記位置検出装置によって検出された磁極位置に基づいて、前記同期電動機の制御の位置情報として用いると共に、前記インバータの出力電圧，前記同期電動機の界磁電流を制御する制御手段とを備えることを特徴とするハイブリッド自動車用車両駆動装置であって、
前記同期電動機は、
固定子と、
該固定子に空隙を介して対向配置されて回転自在に保持された回転子と、
該回転子の位置を検出するための位置検出装置と、を有し、
前記回転子は、複数の爪磁極を有する１対のコアを有し、それぞれのコアの爪磁極が回転方向に交互に配置されるポールコアを有し、
前記位置検出装置は、
前記１対のコアの内、一方のコアであって、磁性部と非磁性部とを交互に有する磁性体と、
前記磁性体に対して、空隙を介して配置され、前記磁性体の回転によって生じる磁束密度の変化を検出し、アナログ出力する少なくとも２つの磁気センサ部とを有し、
前記磁気センサ部の出力により、前記回転電機の位置を検出することを特徴とするハイブリッド自動車用車両駆動装置。
【請求項２６】
前後輪の内一方の車輪をエンジン及び同期電動機により駆動し、
前記同期電動機は、モータ・ジェネレータであるハイブリッド自動車に用いられ、
前記同期電動機と、
前記同期電動機の磁極位置を磁気センサを用いて検出する位置検出装置と、
前記エンジンよって駆動される発電機からの直流出力を交流出力に変換して、前記同期電動機の電機子巻線に供給するインバータと、
前記位置検出装置によって検出された磁極位置に基づいて、前記同期電動機の制御の位置情報として用いると共に、前記インバータの出力電圧，前記同期電動機の界磁電流を制御する制御手段とを備えることを特徴とするハイブリッド自動車用車両駆動装置であって、
前記同期電動機は、
固定子と、
該固定子に空隙を介して対向配置されて回転自在に保持されていると共に、複数の爪状鉄心部を備えた１対の鉄心から構成され、かつ前記鉄心の一方の前記爪状鉄心部と前記鉄心の他方の前記爪状鉄心部とが回転方向に交互に配置され、さらには前記鉄心に巻かれた巻線の励磁により生じた磁束によって前記爪状鉄心部が磁化されるルンデル型回転子と、
該ルンデル型回転子の位置を検出するための位置検出装置と、を有し、
前記回転子は、複数の爪磁極を有する１対のコアを有し、それぞれのコアの爪磁極が回転方向に交互に配置されるポールコアを有し、
前記位置検出装置は、
前記１対のコアの内、一方のコアであって、磁性部と非磁性部とを交互に有する磁性体と、
前記磁性体に対して、空隙を介して配置され、前記磁性体の回転によって生じる磁束密度の変化を検出し、アナログ出力する少なくとも２つの磁気センサ部とを有し、
前記磁気センサ部の出力により、前記回転電機の位置を検出することを特徴とするハイブリッド自動車用車両駆動装置。
【発明の詳細な説明】
【技術分野】
【０００１】
本発明は、磁気センサの信号を用いた位置検出装置，これを用いた同期電動機，４輪駆動用車両駆動装置及びハイブリッド自動車用車両駆動装置に係り、特に、ゼロ速度（停止状態）から高速度回転まで加減速する用途に好適な位置検出装置，これを用いた同期電動機，４輪駆動用車両駆動装置及びハイブリッド自動車用車両駆動装置に関する。
【背景技術】
【０００２】
同期電動機（以下、単に「モータ」と称する）の駆動装置として、ロータの磁極位置を検出する位置検出装置を用いて、モータに通電する位相を決定して駆動するものがある。ここで、位置検出装置とは、例えば、レゾルバやアブソリュートロータリーエンコーダのように、回転中の回転角度を検出するとともに、停止時にも、電気角度の絶対位置を判定できるものを指す。
【０００３】
一般に、高効率なモータ駆動を達成するためには、位置検出装置により逆起電圧の位相（モータロータの磁極位置）を精度良く検出することが不可欠で、その手法としていくつか知られている。
【０００４】
例えば、第１に、ギヤ歯状のセンサロータが回転した際の磁束量の変化を磁気センサで検出し、センサ信号の直線区間を用いて位置演算するものが知られている（例えば、特許文献１参照）。
【０００５】
また、第２に、ルンデル型回転子を有する回転電機にリング状の永久磁石を配置し、磁気検出手段により位置検出するものが知られている（例えば、特許文献２参照）。
【０００６】
【特許文献１】特開２００６−１６６６７７号公報
【特許文献２】特開２００５−１９２３４５号公報
【発明の開示】
【発明が解決しようとする課題】
【０００７】
ここで、特許文献１にも記載されているように、同期電動機では、回転中の回転位置を検出するとともに、停止時にも、絶対位置を判定できる位置センサとして、安価なホール素子を用いた位置検出方法が存在し、センサレス位置検出手法を併用することで温度変化や取付位置ずれも補正して高精度化している。しかしながら、ギヤ歯状のセンサロータの回転によるギャップ変化を磁気センサの出力信号として位置検出するため、センサロータを取り付ける必要があり、取付スペースが必要となる。さらに、検出信号が正弦波あるいは台形波状となるようギヤ歯形状を最適化する必要がある。
【０００８】
また、特許文献２では、リング状の永久磁石をスリップリングのモールド樹脂に取付け、省スペース化している。しかしながら、位置検出精度を確保するためにはリング状の永久磁石を精度良く着磁する必要がある。
【０００９】
本発明の目的は、位置検出器を低コスト・省スペース化できる位置検出装置及びこれを用いた同期電動機を提供することにある。
【課題を解決するための手段】
【００１０】
上記目的を達成するために、本発明は、磁性部と非磁性部とが交互に並ぶように構成され、かつ回転側の磁極を形成するための磁束が流れる回転磁性体を備えた回転電機に用いられる位置検出装置であって、少なくとも２つのセンサ部を有し、前記センサ部は、前記回転磁性体から前記磁極形成用磁束を受けるように、前記回転磁性体の対向側に空隙を介して配置されていると共に、前記回転磁性体の回転によって生じる前記磁極形成用磁束の変化に応じた信号を出力する磁気センサを有するものである。  
また、本発明は、複数の爪状鉄心部を備えた１対の鉄心から構成され、かつ前記鉄心の一方の前記爪状鉄心部と前記鉄心の他方の前記爪状鉄心部とが回転方向に交互に配置され、さらには前記鉄心に巻かれた巻線の励磁により生じた磁束によって前記爪状鉄心部が磁化されるルンデル型回転子を有する回転電機に用いられ、しかも磁性部と非磁性部とが交互に配置されるように前記ルンデル型回転子に構成された回転磁性体を被検出体とする位置検出装置であって、少なくとも２つのセンサ部を有し、前記センサ部は、前記回転磁性体から前記磁化用磁束を受けるように、前記回転磁性体の対向側に空隙を介して配置され、前記回転磁性体の回転によって生じる前記磁化用磁束の変化に応じたアナログ信号を出力する磁気センサを有するものである。  
さらに、本発明は、固定子と、該固定子に空隙を介して対向配置されて回転自在に保持された回転子と、該回転子の位置を検出するための位置検出装置と、を有し、前記位置検出装置は、少なくとも２つのセンサ部を備え、磁性部と非磁性部とが交互に配置され、かつ前記回転子の磁極を形成するための磁束が流れる回転磁性体を被検出体としており、前記センサ部は、前記回転磁性体から前記磁極形成用磁束を受けるように、前記回転磁性体の対向側に空隙を介して配置されていると共に、前記回転磁性体の回転によって生じる前記磁極形成用磁束の変化に応じた信号を出力する磁気センサを有するものである。  
また、本発明は、固定子と、該固定子に空隙を介して対向配置されて回転自在に保持されていると共に、複数の爪状鉄心部を備えた１対の鉄心から構成され、かつ前記鉄心の一方の前記爪状鉄心部と前記鉄心の他方の前記爪状鉄心部とが回転方向に交互に配置され、さらには前記鉄心に巻かれた巻線の励磁により生じた磁束によって前記爪状鉄心部が磁化されるルンデル型回転子と、該ルンデル型回転子の位置を検出するための位置検出装置と、を有し、前記位置検出装置は、少なくとも２つのセンサ部を備えると共に、磁性部と非磁性部とが交互に配置されるように前記ルンデル型回転子に構成された回転磁性体を被検出体としており、前記センサ部は、前記回転磁性体から前記磁化用磁束を受けるように、前記回転磁性体の対向側に空隙を介して配置され、前記回転磁性体の回転によって生じる前記磁化用磁束の変化に応じたアナログ信号を出力する磁気センサを有するものである。  
また、本発明は、前後輪の内一方の車輪をエンジンにより駆動し、他方の車輪を同期電動機により駆動する電動４輪駆動車に用いられ、前記同期電動機と、前記同期電動機の磁極位置を磁気センサを用いて検出する位置検出装置と、前記エンジンよって駆動される発電機からの直流出力を交流出力に変換して、前記同期電動機の電機子巻線に供給するインバータと、前記位置検出装置によって検出された磁極位置に基づいて、前記同期電動機の制御の位置情報として用いると共に、前記発電機の界磁電流，前記インバータの出力電圧，前記同期電動機の界磁電流を制御する制御手段とを備えることを特徴とする４輪駆動用車両駆動装置であって、前記同期電動機は、固定子と、該固定子に空隙を介して対向配置されて回転自在に保持された回転子と、該回転子の位置を検出するための位置検出装置と、を有し、前記回転子は、複数の爪磁極を有する１対のコアを有し、それぞれのコアの爪磁極が回転方向に交互に配置されるポールコアを有し、前記位置検出装置は、前記１対のコアの内、一方のコアであって、磁性部と非磁性部とを交互に有する磁性体と、前記磁性体に対して、空隙を介して配置され、前記磁性体の回転によって生じる磁束密度の変化を検出し、アナログ出力する少なくとも２つの磁気センサ部とを有し、前記磁気センサ部の出力により、前記回転電機の位置を検出するようにしたものである。  
また、本発明は、前後輪の内一方の車輪をエンジンにより駆動し、他方の車輪を同期電動機により駆動する電動４輪駆動車に用いられ、前記同期電動機と、前記同期電動機の磁極位置を磁気センサを用いて検出する位置検出装置と、前記エンジンよって駆動される発電機からの直流出力を交流出力に変換して、前記同期電動機の電機子巻線に供給するインバータと、前記位置検出装置によって検出された磁極位置に基づいて、前記同期電動機の制御の位置情報として用いると共に、前記発電機の界磁電流，前記インバータの出力電圧，前記同期電動機の界磁電流を制御する制御手段とを備えることを特徴とする４輪駆動用車両駆動装置であって、前記同期電動機は、固定子と、該固定子に空隙を介して対向配置されて回転自在に保持されていると共に、複数の爪状鉄心部を備えた１対の鉄心から構成され、かつ前記鉄心の一方の前記爪状鉄心部と前記鉄心の他方の前記爪状鉄心部とが回転方向に交互に配置され、さらには前記鉄心に巻かれた巻線の励磁により生じた磁束によって前記爪状鉄心部が磁化されるルンデル型回転子と、該ルンデル型回転子の位置を検出するための位置検出装置と、を有し、前記位置検出装置は、前記１対のコアの内、一方のコアであって、磁性部と非磁性部とを交互に有する磁性体と、前記磁性体に対して、空隙を介して配置され、前記磁性体の回転によって生じる磁束密度の変化を検出し、アナログ出力する少なくとも２つの磁気センサ部とを有し、前記磁気センサ部の出力により、前記回転電機の位置を検出するようにしたものである。  
また、本発明は、前後輪の内一方の車輪をエンジン及び同期電動機により駆動し、前記同期電動機は、モータ・ジェネレータであるハイブリッド自動車に用いられ、前記同期電動機と、前記同期電動機の磁極位置を磁気センサを用いて検出する位置検出装置と、前記エンジンよって駆動される発電機からの直流出力を交流出力に変換して、前記同期電動機の電機子巻線に供給するインバータと、前記位置検出装置によって検出された磁極位置に基づいて、前記同期電動機の制御の位置情報として用いると共に、前記インバータの出力電圧，前記同期電動機の界磁電流を制御する制御手段とを備えることを特徴とするハイブリッド自動車用車両駆動装置であって、前記同期電動機は、固定子と、該固定子に空隙を介して対向配置されて回転自在に保持された回転子と、該回転子の位置を検出するための位置検出装置と、を有し、前記回転子は、複数の爪磁極を有する１対のコアを有し、それぞれのコアの爪磁極が回転方向に交互に配置されるポールコアを有し、前記位置検出装置は、前記１対のコアの内、一方のコアであって、磁性部と非磁性部とを交互に有する磁性体と、前記磁性体に対して、空隙を介して配置され、前記磁性体の回転によって生じる磁束密度の変化を検出し、アナログ出力する少なくとも２つの磁気センサ部とを有し、前記磁気センサ部の出力により、前記回転電機の位置を検出するようにしたものである。  
また、本発明は、前後輪の内一方の車輪をエンジン及び同期電動機により駆動し、前記同期電動機は、モータ・ジェネレータであるハイブリッド自動車に用いられ、前記同期電動機と、前記同期電動機の磁極位置を磁気センサを用いて検出する位置検出装置と、前記エンジンよって駆動される発電機からの直流出力を交流出力に変換して、前記同期電動機の電機子巻線に供給するインバータと、前記位置検出装置によって検出された磁極位置に基づいて、前記同期電動機の制御の位置情報として用いると共に、前記インバータの出力電圧，前記同期電動機の界磁電流を制御する制御手段とを備えることを特徴とするハイブリッド自動車用車両駆動装置であって、前記同期電動機は、固定子と、該固定子に空隙を介して対向配置されて回転自在に保持されていると共に、複数の爪状鉄心部を備えた１対の鉄心から構成され、かつ前記鉄心の一方の前記爪状鉄心部と前記鉄心の他方の前記爪状鉄心部とが回転方向に交互に配置され、さらには前記鉄心に巻かれた巻線の励磁により生じた磁束によって前記爪状鉄心部が磁化されるルンデル型回転子と、該ルンデル型回転子の位置を検出するための位置検出装置と、を有し、
前記回転子は、複数の爪磁極を有する１対のコアを有し、それぞれのコアの爪磁極が回転方向に交互に配置されるポールコアを有し、前記位置検出装置は、前記１対のコアの内、一方のコアであって、磁性部と非磁性部とを交互に有する磁性体と、前記磁性体に対して、空隙を介して配置され、前記磁性体の回転によって生じる磁束密度の変化を検出し、アナログ出力する少なくとも２つの磁気センサ部とを有し、前記磁気センサ部の出力により、前記回転電機の位置を検出するようにしたものである。  
かかる構成により、位置検出器を低コスト・省スペース化できるものとなる。
【発明の効果】
【００１１】
本発明によれば、位置検出器を低コスト・省スペース化できる。
【発明を実施するための最良の形態】
【００１２】
以下、図１〜図８を用いて、本発明の第１の実施形態による位置検出装置の構成及び動作について説明する。  
最初に、図１〜図３を用いて、本実施形態による位置検出装置の構成について説明する。  
図１は、本発明の第１の実施形態による位置検出装置を搭載した同期電動機の構成を示す断面図である。図２は、本発明の第１の実施形態による位置検出装置の構成を示す縦断面図である。図３は、本発明の第１の実施形態による位置検出装置の構成を示す横断面図である。なお、図２は、図３のＡ−Ａ’断面を示し、図３は、図２のＢ−Ｂ’断面を示している。なお、図１〜図３において、同一符号は同一部分を示している。
【００１３】
同期電動機１２０は、巻線界磁形の同期電動機（交流機電動機）である。電動機１２０は、エンジンの再始動時には同期電動機として動作し、高圧バッテリの充電時及び回生モード時には同期発電機として動作する。
【００１４】
エンドブラケット１，２は、アルミニウム製の椀状部材であり、同期電動機１２０のハウジングを構成する。エンドブラケット１，２の側面中央（椀状部材の最底部に相当する部分）には、ベアリング６， ７が設けられており、シャフト１２を回転自在に支承する。
【００１５】
エンドブラケット１の内周には、固定子３が固定されている。固定子３の内周には、回転子１１が配置されている。回転子１１は、シャフト１２に固定されており、回転子１１は、固定子３の内側で回転可能である。固定子３及び回転子１１は、エンドブラケット１，２からなるハウジングの内周に保持され、防塵・防水構造となっている。
【００１６】
固定子３は、ステータコア３Ａと、ステータコイル３Ｂを備えている。ステータコア３Ａは、円環状の磁性部材が複数積層されて形成された円筒状の鉄心である。ステータコア３Ａの内周側と対向するシャフト１２には、回転子１１の２つポールコア９Ａ，９Ｂが、ステータコア３Ａに空隙を介して対向するように固定されている。ステータコイル３Ｂは、３相（Ｕ相，Ｖ相，Ｗ相）のコイルを有している。同期電動機１２０のステータコイル３Ｂに流れる三相巻線電流は、後述するインバータによって制御される。
【００１７】
回転子１１は、固定子３の内周側に、空隙を介して回転自在に保持されている。回転子１１は、ポールコア９Ａ，９Ｂと、界磁コイル８Ａ，８Ｂと、永久磁石３０Ａ，３０Ｂとを備えている。ポールコア９Ａと、ポールコア９Ｂは、シャフト１２の軸方向に配置されている。ポールコア９Ａ，９Ｂは、それぞれ、周方向に複数の爪状磁極を有するコアが１対、回転軸方向に対向し、一方のコアの爪状磁極と他方のコアの爪状磁極が周方向（回転方向）に交互に配置されるように、シャフト１２に固定されている。ここで、例えば、ポールコア９Ａの一方の爪状磁極は、Ｎ極に磁化されており、他方の爪状磁極は、Ｓ極に磁化されている。ポールコア９Ｂも同様である。従って、それぞれのポールコア９Ａ，９Ｂは、異なる磁極が周方向に交互に配置される。ポールコア９Ａ，９Ｂの爪状磁極の内周には、絶縁処理を施した界磁コイル８Ａ，８Ｂがボビンに巻かれて、同心状に設けられている。また、ポールコア９Ａの一方の爪状磁極と他方の爪磁極の間には、永久磁石３０Ａが配置されている。ポールコア９Ｂの一方の爪状磁極と他方の爪磁極の間には、永久磁石３０Ｂが配置されている。
【００１８】
すなわち、本実施形態の回転子は、ポールコア９Ａと、界磁コイル８Ａと、永久磁石３０Ａとからなる爪磁極形の第１の回転子と、ポールコア９Ｂと、界磁コイル８Ｂと、永久磁石３０Ｂとからなる爪磁極形の第２の回転子とが、シャフトの軸方向に連結されたタンデム形の回転子である。このようにタンデム形の回転子を用いることで、同期電動機の直径を大きくすることなく、その出力を大きくすることができる。図５を用いて後述するように、電動４輪駆動車に用いられる同期電動機１２０は、後輪の車軸近傍に配置される。この位置では、車体の下から地面までの高さが低いため、エンジンルーム内に電動機を配置する場合に比べて、高さ方向の制限がある。このような場合に、タンデム形の回転子を用いた電動機は有利である。
【００１９】
シャフト１２の一端にはスリップリング１０が固定されている。スリップリング１０は、リード線を介して界磁コイル８Ａ，８Ｂと電気的に接続されている。スリップリング１０は、摺動接触するブラシ１６ａから電力を供給される。シャフト１２の他端には、プーリーがナットによって固定される。
【００２０】
エンドブラケット２の空間部分にはブラシホルダ１６が配置され、複数の固定用のボルト・ナットによってエンドブラケット２に固定されている。ブラシホルダ１６の横には、ＩＣレギュレータ１７が固定されている。ＩＣレギュレータ１７は、界磁コイル８Ａ，８Ｂに流れる界磁電流を制御する。ブラシホルダ１６は、端板１８に取り付けられている。
【００２１】
ブラシホルダ１６は、ブラシ１６ａを保持すると共に、ブラシ１６ａをスリップリング１０に押圧して摺動接触させる。これにより、界磁コイル８Ａ，８Ｂを励磁する界磁電流がブラシ１６ａの一方からスリップリング１０の一方に供給され、そこからリード線を介して界磁コイル８Ａ，８Ｂに供給される。また、供給された界磁電流はリード線を介してスリップリング１０の他方に供給され、そこからブラシ１６ａを介して外部に通電される。スリップリング１０は、樹脂モールドによってシャフト１２に固定されている。
【００２２】
磁気センサ部２００は、同期電動機１２０のブラシホルダ１６とシャフト１２を挟んだ反対側に取り付けられ、ボルトネジでエンドブラケット２に固定され、防塵カバー２６５で覆われている。これにより、同期電動機１２０のエンドブラケット２を取り外すことなく、磁気センサ部２００のメンテナンスを行うことができる。磁気センサ部２００は、後述するように、第１，第２の磁気センサ部からなり、モールド樹脂２６０にて一体モールドしている。磁気センサ部２００の詳細構成については、図２，図３を用いて後述する。
【００２３】
ここで、図２及び図３を用いて、磁気センサ部２００の詳細構成について説明する。
【００２４】
磁気センサ部２００は、センサヨーク２１０Ａと、第１の磁気センサ２２０Ａと、配線板２５０と、リターンヨーク２３０と、センサ磁石２４０とにから構成される第１の磁気センサ部と、センサヨーク２１０Ｂと、第２の磁気センサと、配線板２５０と、リターンヨーク２３０と、センサ磁石２４０とから構成される第２の磁気センサ部とからなる。低コスト化のため、リターンヨーク２３０とセンサ磁石２４０とは、２つの磁気センサ部で共用している。センサ磁石２４０は、リターンヨーク２３０の途中に配置されている。
【００２５】
図１において、第１の磁気センサ部の磁路は、センサ磁石２４０からリターンヨーク２３０を通り、エンドブラケット２側のポールコア９Ａ，９Ｂとのギャップを介してポールコア９Ａ，９Ｂのシャフト１２側（爪状磁極の内周面）端面を通り、爪状磁極９Ａ，９Ｂ及びギャップを介して、センサヨーク２１０Ａ，２１０Ｂを通る磁路で形成される。センサ磁石２４０は、上述の磁路に磁束を発生するために備えられている。
【００２６】
磁気センサ２２０Ａ，２２０Ｂは、磁路の途中（センサヨーク２１０Ａ，２１０Ｂとリターンヨーク２３０の間）にそれぞれ配置されている。磁気センサ２２０Ａ，２２０Ｂは、磁界の強さに応じてアナログ出力する磁気センサであり、ホール素子，リニアホールＩＣ（ホール素子とアナログ増幅回路を１パッケージ化したセンサデバイス），ＭＲ素子などが用いられる。なお、好ましくは、リニアホールＩＣが取扱性とコストの面で有利である。
【００２７】
ディジタル出力するホールＩＣを用いた場合には、低速度時における位置検出精度が大幅に低下するのに対して、アナログ出力の磁気センサを用いることで、ゼロ速度から高速度回転まで急加減速するモータの磁極位置検出の検出精度を向上することができる。
【００２８】
本例では、ポールコア９Ａ，９Ｂの磁極が１２極(爪状磁極を１２個もっている)である。２つの磁気センサ部で構成する場合には、第１の磁気センサと第２の磁気センサの間隔は、シャフト１２の周方向に電気角で９０度間隔（機械角で１５度間隔）となるように配置する。なお、３つの磁気センサ部で構成する場合には、それぞれの磁気センサ部の間隔は、電気角で１２０度間隔（機械角で２０度間隔）の関係で取り付ける。また、例えば、１つの磁気センサ部からの信号を反転信号で扱えば機械角で１０度間隔に配置したとしても電気角で１２０度間隔に取り付けたのと同様であり、磁気センサ部２００をコンパクトにすることができる。
【００２９】
磁気センサ部２００の第１，第２の磁気センサ部のセンサ出力信号は、図５にて後述する制御手段に入力され、ポールコア９Ａ，９Ｂの磁極位置として位置演算される。演算された磁極位置は、同期電動機１２０を効率よく力行（駆動）／回生（発電）するための磁極位置情報として用いられる。例えば、力行時には磁極位置に応じたインバータの出力電圧の位相を制御し、１２０度通電或いは１８０度通電などの印可電圧位相を制御する。さらに、印可電圧のパルス幅変調率を制御することで三相のモータ電流の大きさを制御して同期電動機１２０の出力トルクを調整するものである。
【００３０】
なお、センサ磁石２４０は、上述の磁路に磁束を発生するために備えられているが、センサ磁石を用いない方法も可能である。すなわち、磁束を発生する手段があればよく、例えば、ステータコイル３Ｂからの漏れ磁束や、界磁コイル８Ａ，８Ｂからの漏れ磁束を用いることもできる。なお、通常、界磁コイル８Ａ，８Ｂには電流を流さない場合もあり、その場合、漏れ磁束も零となるので、界磁コイル８Ａ，８Ｂからの漏れ磁束を用いる場合には、常に、界磁コイル８Ａ，８Ｂに電流を流すように制御する必要がある。
【００３１】
次に、図４を用いて、本発明の第１の実施形態による位置検出装置における磁気センサ部２００と同期電動機１２０の爪状磁極との位置関係について説明する。  
図４は、本発明の第１の実施形態による位置検出装置における磁気センサ部と同期電動機の爪状磁極との位置関係を示す斜視図である。なお、図１〜図３と同一符号は、同一部分を示している。
【００３２】
図４は、磁気センサ部２００のセンサヨーク２１０Ａ，２１０Ｂと磁気センサ２２０Ａ，２２０Ｂ及び同期電動機１２０のポールコア９Ｂのみを示しており、磁気センサ部２００のリターンヨーク２３０をはじめ固定子などは省略している。
【００３３】
センサヨーク２１０Ａ，２１０Ｂは、その一端がポールコア９Ａ，９Ｂの中心を軸とする円周上に位置する。センサヨーク２１０Ａ，２１０Ｂの他端には、磁気センサ２２０Ａ，２２０Ｂが配置されている。センサヨーク２１０Ａ，２１０Ｂは、ポールコア９Ｂの爪状磁極の根元部で、磁性部（磁性体の鉄心）と非磁性部（非磁性体の空気）とが回転子の回転と共に交互に周期的に繰り返されるように配置される。磁性部（磁性体の鉄心）と非磁性部（非磁性体の空気）とは、ポールコア９Ｂの一方の極，例えば、図４に示す例で、センサヨーク２１０Ａ，２１０Ｂに近接する側のポールコア９Ｂが図示のようにＮ極に磁化されている場合には、このＮ極のポールコアの爪状磁極の根元部で、回転子の回転と共に交互に周期的に繰り返されるように配置される。
【００３４】
また、ポールコア９Ａ，９Ｂの軸方向端面とセンサヨーク２１０Ａ，２１０Ｂとのギャップは、センサ信号が概略正弦波状あるいは概略台形波状のセンサ信号となる距離を取付け位置とすることが望ましく、そのギャップ長は、例えば、１〜２ｍｍである。すなわち、ギャップ長を１ｍｍより短くすると、センサ信号は、矩形状となる。ギャップ長を１ｍｍより長くすると、次第に、センサ信号は、矩形から台形状に変化し、さらに、ギャップ長を長くすると、正弦波状に変化する。ギャップ長を２ｍｍ以上にすると、正弦波状から、次第に正弦波の振幅が小さくなり、平坦状になる。
【００３５】
また、センサヨーク２１０Ａ，２１０Ｂの断面の形状と大きさはセンサ信号が概略正弦波状あるいは概略台形波状のセンサ信号となる形状と大きさにすることが望ましい。これにより、後述の磁極位置演算（検出）アルゴリズムが有効に働き、センサ取付誤差やセンサデバイスのバラツキ及び温度変化による影響を分離し、除去並びに補正することが容易になる。
【００３６】
次に、図５を用いて、本発明の第１の実施形態による位置検出装置を搭載した同期電動機を用いる電動４輪駆動車の構成について説明する。  
図５は、本発明の第１の実施形態による位置検出装置を搭載した同期電動機を用いる電動４輪駆動車の構成を示すシステム構成図である。なお、図１〜図３と同一符号は、同一部分を示している。
【００３７】
本実施形態の電動４輪駆動車においては、エンジン（ＥＮＧ）１１０が出力する駆動力は、変速機（Ｔ／Ｍ）１１２を介して、前輪ＦＲ，ＦＬに動力伝達され、前輪ＦＲ，ＦＬを駆動する。また、エンジン１１０は、発電機（ＡＬＴ）１４０を駆動する。発電機１４０は、例えば、公称電圧１２Ｖのバッテリ等の車載補機に電力を供給する１４Ｖ系電源用発電機よりも高い電圧（例えば、４２Ｖ）まで発電出力を可変できる発電機である。
【００３８】
発電機１４０で発電される直流電力は、平滑コンデンサ１４１を介してインバータ（ＩＮＶ）１６０に供給される。インバータ１６０は、その内部にスイッチング動作するパワー素子を備えており、直流電力を交流電力に変換する。この交流電力は、同期電動機（交流電動機）１２０の電機子巻線（ステータコイル）に供給され、同期電動機１２０を駆動する。同期電動機１２０が出力する駆動力（トルク）は、クラッチ１８０及びデファレンシャギア１８１を介して、後輪ＲＲ，ＲＬに動力伝達して駆動する。
【００３９】
電動４輪駆動車のコントロールユニット（４ＷＤ−ＣＵ）１９０は、上位コントローラからの指令を受け、発電機１４０の界磁電流を制御して、発電電圧を制御する。コントロールユニット（４ＷＤ−ＣＵ）１９０は、インバータ１６０の出力電圧を制御して同期電動機１２０の駆動力を制御する。また、コントロールユニット１９０は、同期電動機１２０の界磁コイルに流れる界磁電流を制御することによっても、同期電動機１２０の駆動力を制御できる。さらに、コントロールユニット１９０は、クラッチ１８０の解放／締結を制御する。また、磁気センサ部２００によって検出された同期電動機１２０の回転子の磁極位置信号は、コントロールユニット（４ＷＤ−ＣＵ）１９０に取り込まれる。
【００４０】
なお、図５において、コントロールユニット（４ＷＤ−ＣＵ）１９０に入出力する線の内、実線矢印の線は制御信号や検出信号の流れを示し、破線矢印は電流の流れを示している。
【００４１】
ここで、コントロールユニット１９０が同期電動機１２０の力行（駆動）／回生（発電）を最適に制御するためには、同期電動機１２０のロータ磁極位置に応じてインバータ１６０を制御することが不可欠で、磁気センサ部２００の検出信号を用いることで、同期電動機１２０の性能を向上することができる。例えば、車両１００の発進時から所定の車速（中速；例えば、４０ｍ／ｈ）（同期電動機１２０の最高回転数）まではクラッチ１８０を締結し、エンジン１１０と同期電動機１２０の駆動力で走行する。所定の車速より高速領域ではクラッチ１８０を解放して、エンジン１１０による前輪駆動のみとする。これとは逆に車速が高速領域から中速まで減速するときには、クラッチ１８０を締結して、同期電動機１２０とエンジン１１０との駆動力で走行するモードがある。クラッチ１８０の開放／締結時には締結側と被締結側（クラッチ１８０の同期電動機１２０側を締結側、デファレンシャギア１８１側を非締結側と呼ぶ）の回転同期が不可欠で、完全締結前のクラッチ摺動状態では伝達トルクによって回転変動が発生し、不快な車両振動を引き起こす。すなわち、同期電動機１２０の駆動力制御が重要で、駆動力の制御性を左右する要因の一つに位置検出装置の誤差があり、位置検出バラツキなどが性能を左右する。
【００４２】
従来の電動４輪駆動車では、後輪を駆動する電動機として、直流電動機を用いていた。直流電動機は、デファレンシャルギア１８１の近傍であって、車体の下側に搭載されるため、搭載可能な電動機の大きさに限度がある。一方、小型な直流電動機では、発生可能な出力をそれほど大きくできないため、排気量が１リッタークラスよりも大きな車両に適用することは困難であった。
【００４３】
それに対して、本実施形態では、後輪を駆動する電動機として、交流電動機を用いるため、直流電動機に比べて出力を大きくできるため、より大排気量の自動車に適当することが可能である。ここで、交流電動機としては、永久磁石式同期電動機や、界磁巻線形同期電動機を用いることができる。特に、界磁巻線形同期電動機を用いることが、以下の点で有効である。
【００４４】
電動４輪駆動車として、後輪駆動用電動機に求められる性能はまず動作点が広いということである。例えば深雪の中で発進する場合、後輪のみで発進できることが重要となり、低速域で大トルクを出力する必要が生じる。また、中速走行域まで４輪駆動を継続するとした場合、電動機としては非常に高回転にする必要が生じる。ここで、永久磁石同期電動機では永久磁石の磁束により、必要な高回転域まで駆動できない場合が生じる。そこで、電動４輪駆動システムに用いる交流電動機は界磁巻線形の同期電動機を用いると有効である。界磁巻線形の同期電動機であれば、高回転域において界磁電流を抑えることにより磁束を小さくすることが可能となり、その結果、誘起電圧を小さく抑え、高回転まで駆動できるようになる。
【００４５】
なお、以上の例では、同期電動機１２０とインバータ１６０が別体になっている。しかし、同期電動機１２０とインバータ１６０とが一体、すなわちインバータ１６０のスイッチング素子及びそれを駆動する駆動回路などが、同期電動機１２０の一部分、例えば電圧調整器やブラシホルダと同じ場所に配置されたものとすることもできる。このように、一体型とすることで、省スペースかつＥＭＣノイズ対策の面で有効である。
【００４６】
次に、図６〜図８を用いて、本発明の第１の実施形態による位置検出装置の検出信号による磁極位置検出方法について説明する。  
図６は、本発明の第１の実施形態による位置検出装置の検出信号により磁極位置を検出する磁極位置検出手段のブロック図である。図７は、本発明の第１の実施形態による位置検出装置の検出信号による磁極位置検出方法の原理説明図である。図８は、本発明の第１の実施形態による位置検出装置の検出信号による磁極位置検出手段の処理内容を示すフローチャートである。なお、図１〜図３と同一符号は、同一部分を示している。
【００４７】
図６において、磁極位置検出手段Ｂ１０は、図５のコントロールユニット（４ＷＤ−ＣＵ）１９０の中に備えられる。磁極センサ２２０Ａ，２２０Ｂからの２つのセンサ信号は、図７（Ａ）に示すように、略正弦波状の信号である。２つのセンサ信号の位相差は電気角で９０度である。図７（Ａ）はセンサ信号の誤差がない理想信号で、正弦波と余弦波のセンサ信号で示している。実際のセンサ信号には、ゲイン誤差、オフセット誤差、位相誤差が含まれるが、後述の検出方法にて分離でき、補正することができる。磁気センサ２２０Ａ、２２０Ｂからのアナログ信号は、図７（Ａ）に示すセンサ信号Ａ，Ｂである。最大レベルＶＰ１と最小レベルＶＰ２は、磁極位置演算するダイナミックレンジの上限値と下限値であり、レベルＶＰ１とＶＰ２のダイナミックレンジ外側の信号はクランプされた信号となる。すなわち、ダイナミックレンジの範囲を越えた場合には台形波状の信号となる。平均値はセンサ信号の中心値で、第１判定値ＶＬ１はセンサ信号ＡとＢとの最大値側の交点レベルで、第２判定値ＶＬ２はセンサ信号ＡとＢとの最小値側の交点レベルである。
【００４８】
磁極センサ２２０Ａ，２２０Ｂからの２つのセンサ信号は、それぞれＡ／Ｄ変換器でディジタル信号に変換され、磁極位置検出手段Ｂ１０に入力する。個々のセンサ信号は、位置検出部Ｂ２０Ａ，Ｂ２０Ｂで演算処理される。なお、図６では、位置検出部Ｂ２０Ａのみを示し、Ｂ２０Ｂについては同様の構成と処理であるので省略している。
【００４９】
ゲイン・オフセット誤差検出部Ｂ２１Ａでは、後述するゲイン誤差・オフセット誤差の検出処理がなされ、それぞれのセンサ信号にフィードバック補正する。
【００５０】
得られた誤差補正後の信号を用いて、直線区間抽出部Ｂ２３Ａにて信号抽出する。図７（Ｂ）に示すように、直線区間抽出部Ｂ２３Ａは、センサ信号の第１判定値ＶＬ１と第２判定値ＶＬ２との範囲の中心付近のセンサ信号を抽出している。抽出された信号は、正弦波状のセンサ信号の概略直線区間の信号である。
【００５１】
相対位置変換部Ｂ２４Ａは、直線区間抽出部Ｂ２３Ａにて抽出された信号に対して、所定の基準位置からの相対角度（位置；位相）を演算する。図７（Ｃ）に示すように、位相信号は、抽出信号から電気角の相対角度に変換した信号であり、上側角度ＶＯ１は４５度（電気角）で下側角度ＶＯ２は−４５度（電気角）の９０度の区間を示している。所定の基準位置とは、例えば、０度の位置である。一方、磁極センサ２２０Ｂに対する所定の基準位置とは、磁極センサ２２０Ｂに対する所定の基準位置に対して、電気角で９０度ずれた位置である。
【００５２】
一方、位相誤差検出部Ｂ２２Ａは、誤差補正後の信号を用いて、センサ信号の基準位置からの誤差を演算する。減算部Ｂ２５Ａは、相対位置変換Ｂ２４Ａの結果と位相誤差検出Ｂ２２Ａの結果の差分を算出する。
【００５３】
絶対位置変換部Ｂ３０は、減算部Ｂ２５Ａの出力である相対位置変換Ｂ２４Ａの結果と位相誤差検出Ｂ２２Ａの結果との差分を用いて、磁極センサ２２０Ａの補正後の相対角度（位置）から電気角の絶対角度（０〜３６０度）を演算し、検出位置とする。絶対位置変換部Ｂ３０は、位置検出部Ｂ２０Ａの出力と同様に、位置検出部Ｂ２０Ｂの出力から、同期電動機１２０の制御に必要なロータ磁極位置を出力する。
【００５４】
ここで、ゲイン・オフセット誤差検出Ｂ２１Ａと、位相誤差検出Ｂ２２Ａは、補正タイミング信号によりタイミング制御され、有効なセンサ信号の区間にて選択的に動作すると共に、フィードバック（フィードフォワード）のタイミングを調整して発振することなく安定した補償を行うことができる。補正タイミング信号は、例えば、磁極センサ２２０Ａの場合、図７（Ａ）の９０度付近では、センサ信号がクランプしており、磁極位置の検出には用いられていないため、このタイミングで出力される信号である。なお、位相誤差検出Ｂ２２Ａの信号をフィードフォワード補償としているが、フィードバック補償にすることも可能で、位相誤差の検出誤差を収束させるようにすることも可能である。
【００５５】
なお、図７（Ａ）に示したように、センサ信号がダイナミックレンジを越える場合、あるいは初めから台形波状のセンサ信号である場合には、２つのセンサ信号からアークタンジェントで角度演算する方法は演算誤差が大きく、大きな位置検出誤差を生じる。一方、図６にて説明した本実施形態の方式では、演算誤差を小さくでき、検出誤差が小さくなる。
【００５６】
また、検出したセンサ信号が台形波状に高調波成分が含まれる場合には、破線で示す基本波抽出部Ｂ２６Ａにより、基本波成分のみを抽出することでアークタンジェントでの角度演算が可能になる。基本波抽出部Ｂ２６Ａとしては、例えば、高速フーリエ変換（ＦＦＴ）などを用いることができ、ＦＦＴにより、基本波成分のみを抽出する。さらに、ＦＦＴの際に、振幅、オフセット、位相の情報が得られるので、それぞれの誤差を検知し補正することが可能になる。
【００５７】
ここで、基本波抽出部Ｂ２６Ａとして、ＦＦＴを用いない場合のゲイン誤差、オフセット誤差及び位相誤差の検出方法を説明する。
【００５８】
センサ信号に含まれる誤差は、磁気センサ（信号増幅器を含む）のゲイン、オフセットが個々のデバイスでばらつくことと、温度変化及び応力歪みによって発生する。さらに、磁気センサの取付位置ずれで、センサ信号の振幅、位相の差異となって現れる。これらの電気的、機械的な誤差要因は、センサ信号で見ればゲイン誤差とオフセット誤差及び位相誤差として現れる。また、これらの誤差は、同期電動機１２０に磁気センサ部２００を取り付けた状態でほぼ確定し、動作温度によって変化する。すなわち、電動４輪駆動車として組み込んだ状態で初期誤差検知すると共に補正し、さらに使用されている状態でリアルタイム誤差検知し、補正できることが望ましいものである。
【００５９】
誤差を含んだ検出センサ信号Ｆ（ｔ）は、
Ｆ（ｔ）＝Ａ・ｓｉｎ（ωｔ＋α）＋Ｄ
とする。ここで、Ａはセンサゲイン（ゲイン誤差含み）、αは初期位相（位相誤差含み）、Ｄはオフセット誤差である。
【００６０】
このセンサ信号を時間微分すると、
Ｆ’（ｔ）＝Ａω・ｃｏｓ（ωｔ＋α）
を得る。
【００６１】
ここで、角速度ω＝２πｆであり、同期電動機の電気角の周波数ｆはインバータの出力周波数ｆ’とほぼ等しいことから、角速度ωをインバータの出力周波数ｆ’で除算することにより、
Ｆ２（ｔ）＝２πＡ・ｃｏｓ（ωｔ＋α）
となる。
【００６２】
この信号の最大値を計測すれば、２πＡが得られ、時間微分信号の最大値を得るタイミング（ωｔ＋α＝０）での検出センサ信号からオフセット誤差Ｄが得られる（最大値を得るタイミングは、抽出信号の区間範囲に相当した検出センサ信号を２階微分してゼロとの交点としてもよいものである）。
【００６３】
このようにして、ゲイン誤差係数をＡ（基準値２πとの比）と求め、オフセット誤差をＤのように求めることができる。このゲイン誤差とオフセット誤差の検出は電気角１／２周期毎に行え、本実施形態の同期電動機１２０の磁極数は１２であるから、電動機の１回転中に１２回の誤差検出が可能で、フィードバック補正することで検出誤差の精度を向上することができる。
【００６４】
上述のように、検出センサ信号からゲインとオフセット誤差をフィードバック補正し検出誤差を収束させる。
【００６５】
次に、検出センサ信号の直線区間を抽出し、位相誤差を検出する。その後、先の位置検出原理に基づいて相対位置検出した後、絶対位置に変換してモータ制御の位置情報として使用する。ここで、位相誤差は機械的取付により生じる誤差であるので、常時行う必要はなく、分解後の再組立時などに処理を１度行い記憶保持しておくことができる。
【００６６】
続いて位相誤差の検出について説明する。位相誤差の検出は、ゲイン誤差とオフセット誤差を検出した後に行うことにする。また、位相誤差には、２つの検出方式が考えられ、（１）通常のモータドライブ中に位置誤差を検出するランニング方式と（２）特別な位置誤差検出ロジック用モータドライブを用いる方式（オフライン方式）とが考えられる。
【００６７】
さらに、（１）のランニング方式では、「数式により算出する方式」と、「Ｕ相センサ信号を基準としてＶ相とＷ相の相対的な位置ずれを算出する方式」とが考えられるが、一例として、「数式により算出する方式」を説明する。
【００６８】
数式により算出する方式では、
Ｆ２（ｔ）＝２πＡ・ｃｏｓ（ωｔ＋α）
を用いる。ゲイン誤差の検出処理を既に行っているので、ゲインＡは既知である。また、インバータ出力周波数ｆ’からωｔも既知であるから、次式にて、Ｕ相のセンサ位置ずれαが、
α＝ｃｏｓ−１（Ｆ２（ｔ）／２πＡ）−ωｔ
検出可能となる。
【００６９】
なお、センサ信号Ｂについても９０度の位相差を考慮するだけで同様である。
【００７０】
上述ように、センサ信号にゲイン誤差、オフセット誤差、位置誤差が含まれている場合にも、本実施形態の誤差検出と補正を行うことにより、センサ信号の誤差をほぼ数周期（理論的には最小１周期）以内で補正できるので、誤差を重畳しても一時的にモータ電圧あるいはモータ電流が変動するのみで、速やかに安定させることができる。
【００７１】
ここで、図８を用いて、本実施形態による位置検出装置の検出信号による磁極位置検出方法の処理内容について説明する。図７では、磁極位置検出手段Ｂ１０としてハード的に説明したが、磁極位置検出は、コントロールユニット１９０の内部のマイクロコンピュータを用いて、ソフト的に行うこともできる。
【００７２】
まず、ステップＦ１において、前回のゲイン、オフセット、位相の各補正値をフラッシュメモリなどから呼び出し、補正初期値とする。  
次に、ステップＦ２において、磁気センサ部２００の位置検出値θｓ（補正初期値にて補正する）を用いて電動機を始動する。
【００７３】
次に、ステップＦ３において、上述のようにモータ動作中の位相θを演算すると共に各センサ誤差を検出する。
【００７４】
そして、ステップＦＳ１において、検出誤差の大きさ及び変動をチェックし、所定の誤差範囲より大きい場合には、ステップＦ５の処理に進み、検出誤差が大きいことを上位ＥＣＵおよび操作パネルに通知（表示）する。許容誤差範囲内であれば、ステップＦ４に進み、ゲイン誤差補正値を更新する。
【００７５】
次に、ステップＦＳ２において、オフセット誤差の大きさから補正値を更新すべき大きさ、あるいはタイミングであるか判定し、更新する場合にはステップＦ６においてオフセット補正値を更新する。
【００７６】
そうでなければ、ステップＦＳ３において、位相誤差の大きさから補正値を更新すべき大きさ、あるいはタイミングであるか判定し、更新する場合にはステップＦ７にてオフセット補正値を更新する。
【００７７】
次に、ステップＦ８において、位相θに補正量ＣＳ１を施して補正された位置検出値θｓを得る。
【００７８】
そして、ステップＦＳ４において、モータ停止でなければ上記フローを繰り返す。モータ停止であればステップＦ９において、最終のゲイン、オフセット、位相の各補正値をフラッシュメモリなどに記憶する。
【００７９】
なお、一般に始動時と停止時の温度が異なることから、最終のゲイン、オフセット補正値を記憶するのではなく、電源投入直後の始動後しばらくしてからの補正値を繰り返し学習して記憶するようにしてもよい。位相補正値は機械的な取付け誤差を補正する値であるから、大きく変化すべき値ではなく繰り返し学習、あるいは移動平均した補正値を記憶すればよい。また、位置センサ部を交換した場合など、メンテナンスした後には位相補正値をリセットすることが好ましい。
これにより、製品出荷後のセンサの温度変化や、劣化などが起きた場合にもオンライン（実際の運転中）にてセンサ補正、あるいは故障検知ができる。
【００８０】
以上説明したように、本実施形態によれば、磁気センサ部は、回転子の爪状磁極の根元部で、磁性部（磁性体の鉄心）と非磁性部（非磁性体の空気）とが回転子の回転と共に交互に周期的に繰り返される位置に配置される。そして、このセンサ部の概略正弦波状あるいは概略台形波状のセンサ信号を用いて、磁極位置を検出できるので、位置検出器を低コスト・省スペース化できる。
【００８１】
また、磁気センサ部は、アナログ信号を出力するものを用いることで、ゼロ速度から高速度回転まで急加減速する電動機の磁極位置検出の検出精度を向上することができる。
【００８２】
次に、図９及び図１０を用いて、本発明の第１の実施形態による位置検出装置を搭載した同期電動機及びハイブリッド自動車の構成について説明する。  
図９は、本発明の第１の実施形態による位置検出装置を搭載した同期電動機の構成を示す断面図である。図１０は、本発明の第１の実施形態による位置検出装置を搭載した同期電動機を用いるハイブリッド自動車の構成を示すシステム構成図である。なお、図１〜図３，図５と同一符号は、同一部分を示している。
【００８３】
最初に、図９を用いて、同期電動機１２０Ａの構成について説明する。主として、図１に示した同期電動機１２０と構成上相違する点について説明する。
【００８４】
同期電動機１２０Ａは、巻線界磁形の同期電動機（交流機電動機）であり、冷却媒体として空気を用いる空冷機である。
【００８５】
回転子１１Ａは、シャフト１２，ポールコア９，界磁コイル８，スリップリング１０を備えている。すなわち、図１に示したようなタンデム形ではなく、シングル形である。さらに、冷却用遠心ファン１３を備えている。なお、図１の例で、対向する爪磁極の間に配置された永久磁石は備えられていない。冷却用遠心ファン１３は、ポールコア９の回転軸方向の端面に固定されている。エンドブラケット１は、外気を導入し、また、排出するための開口部１Ａ，１Ｂ，１Ｃを備えている。
【００８６】
冷却用遠心ファン１３は、ポールコア９と共に回転して、外部から外気を機内に導入すると共に、その外気を機内に循環させて機内を冷却し、冷却し終えた外気を外部に排出する。
【００８７】
本実施形態の磁気センサ部２００は、図１〜図３にて説明したものと同様である。
【００８８】
次に、図１０を用いて、本実施形態のハイブリッド自動車のパワートレインについて説明する。
【００８９】
図１０に示すハイブリッド自動車は、前輪駆動方式で、内燃機関であるエンジン１１０を動力源としたエンジンパワートレインと、電動機１２０Ａを動力源としたエレクトリックパワートレインの両方を備えている。エンジンパワートレインは、主として、自動車の駆動源を構成する。エレクトリックパワートレインは、主として、エンジン１１０の始動源， エンジン１１０のアシスト源及び自動車の電力源として用いられる。従って、図１０に示すハイブリッド自動車においては、イグニションキースイッチがオン状態にあって、信号待ちなどの停車時にエンジン１１０を停止させ、発車時にエンジン１１０を再始動する、いわゆるアイドルストップを行うことができる。
【００９０】
図１０に示すハイブリッド自動車において、車体１００のフロント部には前輪車軸１０１が回転可能に軸支されている。前輪車軸１０１の両端には、前輪ＦＲ，ＦＬが設けられている。車体１００のリア部には、後輪車軸１０４が回転可能に軸支されている。後輪車軸１０４の両端には、後輪ＲＲ，ＲＬが設けられている。
【００９１】
前輪車軸１０１の中央部には、動力分配機構であるデファレンシャルギア（ＤＥＦ）１１１が設けられており、エンジン１１０から変速機１１２を介して伝達された回転駆動力を左右の前輪車軸ＦＲ，ＦＬに分配する。エンジン１１０と電動機１２０Ａとは、エンジン１１０のクランクシャフトに設けられたプーリー１１０ａと電動機１２０Ａの回転軸に設けられたプーリー１２０ａとがベルト１３０を介して機械的に連結されている。これにより、電動機１２０Ａの回転駆動力がエンジン１１０に、エンジン１１０の回転駆動力が電動機１２０Ａにそれぞれ伝達できるようになっている。
【００９２】
電動機１２０Ａは、インバータ１６０によって制御された３相交流電力がステータのステータコイルに供給されることによって、ロータが回転し、３相交流電力に応じた回転駆動力を発生する。すなわち電動機１２０Ａはインバータ１６０から制御され、電動機として動作する。一方、電動機１２０Ａは、エンジン１１０の回転駆動力を受けてロータが回転することによって、ステータのステータコイルに起電力が誘起され、３ 相交流電力を発生する。すなわち電動機１２０Ａは発電機として動作する。
【００９３】
インバータ１６０は、高圧バッテリ１２２から供給された直流電力を３相交流電力に変換する電力変換装置であり、運転指令値に従ってロータの磁極位置に応じた，電動機１２０Ａのステータコイルに流れる３相交流電流を制御するものである。電動機１２０Ａによって発電された３相交流電力は、インバータ１６０によって直流電力に変換されて高圧バッテリ１２２を充電する。高圧バッテリ１２２にはＤＣ−ＤＣコンバータ１２４を介して低圧バッテリ１２３に電気的に接続されている。
【００９４】
低圧バッテリ１２３は、自動車の低電圧（１４ｖ）系電源を構成するものであり、エンジン１１０を初期始動（コールド始動）させるスタータ１２５，ラジオ，ライトなどの電源に用いられている。
【００９５】
コントロールユニット（ＣＵ）１９０Ａは、上位コントローラからの指令を受け、インバータ１６０の出力電圧を制御して同期電動機１２０Ａの駆動力を制御する。また、コントロールユニット１９０Ａは、同期電動機１２０Ａの界磁コイルに流れる界磁電流を制御することによっても、同期電動機１２０Ａの駆動力を制御できる。さらに、コントロールユニット１９０Ａは、電動機１２０Ａを発電機として動作させるときは、電動機１２０Ａの界磁電流を制御して、発電電圧を制御する。また、磁気センサ部２００によって検出された同期電動機１２０Ａの回転子の磁極位置信号は、コントロールユニット（ＣＵ）１９０Ａに取り込まれる。
【００９６】
コントロールユニット（ＣＵ）１９０Ａは、上位コントローラからの指令を受け、車両が信号待ちなどの停車時（アイドルストップモード）にあるとき、エンジン１１０を停止させる。そして、再発車時にエンジン１１０を再始動（ホット始動）させる時には、インバータ１６０で電動機１２０Ａを駆動し、エンジン１１０を再始動させる。なお、アイドルストップモードにおいて、高圧バッテリ１２２の充電量が不足している場合や、エンジン１１０が十分に温まっていない場合などにおいては、エンジン１１０を停止せず駆動を継続する。また、アイドルストップモード中においては、エアコンのコンプレッサなど、エンジン１１０を駆動源としている補機類の駆動源を確保する必要がある。この場合、電動機１２０Ａを駆動させて補機類を駆動する。
【００９７】
加速モード時や高負荷運転モードにある時にも、電動機１２０Ａを駆動させてエンジン１１０の駆動をアシストする。逆に、高圧バッテリ１２２の充電が必要な充電モードにある時には、エンジン１１０によって電動機１２０Ａを発電させて高圧バッテリ１２２を充電する。すなわち、車両の制動時や減速時などの回生モードを行う。
【００９８】
以上説明したように、本実施形態によれば、磁気センサ部は、回転子の爪状磁極の根元部で、磁性部（磁性体の鉄心）と非磁性部（非磁性体の空気）とが回転子の回転と共に交互に周期的に繰り返される位置に配置される。そして、このセンサ部の概略正弦波状あるいは概略台形波状のセンサ信号を用いて、磁極位置を検出できるので、位置検出器を低コスト・省スペース化できる。
【００９９】
また、磁気センサ部は、アナログ信号を出力するものを用いることで、ゼロ速度から高速度回転まで急加減速する電動機の磁極位置検出の検出精度を向上することができる。
【０１００】
次に、図１１を用いて、本発明の第２の実施形態による位置検出装置の構成及び動作について説明する。  
図１１は、本発明の第２の実施形態による位置検出装置を搭載した同期電動機の構成を示す断面図である。なお、図１〜図３，図５，図９と同一符号は、同一部分を示している。また、本実施形態の位置検出装置を搭載した同期電動機は、図１０に示したハイブリッド自動車に用いられる。
【０１０１】
図１１に示した同期電動機１２０Ｂの基本的な構成は、図９に示したものと同様である。本実施形態では、磁気センサ部２００Ｂの構成が、図１や図９に示した磁気センサ部２００とは、異なっている。すなわち、磁気センサ部２００Ｂは、電動機のロータ（ポールコア９）の漏れ磁束を、２個の磁気センサ２２１Ａで直接的に検出するものである。なお、第１の磁気センサ２２１Ａは図示しているが、第２の磁気センサは、センサヨーク２１０Ｂと配線板２３１の間に取り付けられている。
【０１０２】
配線板２３１は、磁性体を用いた金属配線板を用いている。配線板２３１の上に、第１の磁気センサ２２１Ａや第２の磁気センサなどの電子部品が実装される。センサヨーク２１０Ａ，２１０Ｂは、ポールコア９の漏れ磁束を第１，第２の磁気センサ２２０Ａに誘導するためのものである。金属配線板２３１の一部あるいは全部と、センサヨーク２１０Ａ，２１０Ｂとは、モールド樹脂材２６１で一体成形されている。ポールコア９の漏れ磁束は、センサヨーク２１０Ａ，２１０Ｂにて集磁して、第１及び第２の磁気センサ２２１Ａで検出され、金属配線板２３１の磁性体を通り、ステータコア３Ａを経てポールコア９に戻るループを形成している。ポールコア９の漏れ磁束が大きい場合には、オープンループの磁路であっても検出することが可能である。この場合、金属配線板２３１からステータコア３Ａへ経由する磁路は省略するなどしてコスト削減が可能となる。
【０１０３】
ここで、センサヨーク２１０Ａ，２１０Ｂは、好ましくは、ステータコイル３Ｂに通電したときの磁気的影響を低減し、かつ電動機温度上昇から電子部品を保護する意味合いから適切な位置に、磁気センサ部２００を実装するために用いる。磁気的外乱や温度などが特に問題とならない場合には、省略してコスト削減が可能である。
【０１０４】
また、リターンヨークは磁性体を用いた金属配線板２３１を兼用することで、リターンヨークの部品数の削減を図っているが、図１と同様にリターンヨークを設けてもよいものである。
【０１０５】
以上説明したように、本実施形態によれば、磁気センサ部は、回転子の爪状磁極の根元部で、磁性部（磁性体の鉄心）と非磁性部（非磁性体の空気）とが回転子の回転と共に交互に周期的に繰り返される位置に配置される。そして、このセンサ部の概略正弦波状あるいは概略台形波状のセンサ信号を用いて、磁極位置を検出できるので、位置検出器を低コスト・省スペース化できる。
【０１０６】
また、磁気センサ部は、アナログ信号を出力するものを用いることで、ゼロ速度から高速度回転まで急加減速する電動機の磁極位置検出の検出精度を向上することができる。
【０１０７】
次に、図１２を用いて、本発明の第３の実施形態による位置検出装置の構成及び動作について説明する。  
図１２は、本発明の第３の実施形態による位置検出装置の構成を示す断面図である。なお、図１〜図３，図５，図９と同一符号は、同一部分を示している。
【０１０８】
図１２に示す磁気センサ部２００Ｃは、組み込んだ状態で初期誤差検知すると共に補正する機能を最大限に引き出すもので、位置検出装置の２つの磁気センサを独立してパッケージしたものである。すなわち、図１２に示す磁気センサ部２００Ｃは、一つの磁気センサを示している。
【０１０９】
図において、位置検出のための磁路は、センサヨーク２１２Ａとセンサヨーク２１３Ａの間に配置されたセンサ磁石２４０を起磁力として、磁気センサ２２０Ａ，リターンヨーク２３０を通り、ギャップを介して、図１のポールコア９Ｂ若しくは図９のポールコア９のループを形成するものである。
【０１１０】
磁気センサ２２０Ａからの信号は、配線基板２５０を介して、モールド２６０の外に取り出される。取り出した信号は、上位のコントローラにて位置検出処理を施し（図示せず）、電動機ロータの磁極位置を検出することが可能となる。すなわち、独立したパッケージ２つを用いて電気角で９０度位相をずらして配置すれことで、位置検出ができる。取り付ける位置や対象は、図１や図９に示したものと同様である。
【０１１１】
本実施形態では、１つのパッケージは独立しているので、故障の際には１つの部品として交換すれば良く、メンテナンス性が向上する。また、個々の磁気センサの配置位置が電気角度で９０度の位相差から誤差を持って取り付けられたとしても、位置検出処理にて初期誤差検知すると共に補正することができるので部品取付作業が容易となり、メンテナンス性をさらに向上することができる。
【０１１２】
次に、図１３を用いて、本発明の第４の実施形態による位置検出装置の構成及び動作について説明する。  
図１３は、本発明の第４の実施形態による位置検出装置の構成を示す斜視図である。なお、図１〜図３と同一符号は、同一部分を示している。
【０１１３】
本実施形態の磁気センサ部２００Ｄは、図１に示したポールコア９Ａ，９Ｂの代わりに、磁性体のリング２８０Ａに開口２８０Ｂを設けて、開口部２８０Ｂの周方向の長さと、非開口部の周方向の長さが等しくすることで、磁性部と非磁性部とが交互に配置されたロータとしたセンサリング２８０を用いた点に特徴がある。
【０１１４】
図において、位置検出のための第１の磁路は、センサ磁石２４０Ａを起磁力として、磁気センサ２２０Ａ、センサヨーク２１５Ａを通り、ギャップを介してリング上の磁性体のセンサリング２８０を通るオープン磁路である。また、第２の磁路は、センサ磁石２４０Ｂを起磁力として磁気センサ２２０Ｂ、センサヨーク２１５Ｂを通り、ギャップを介してリング上の磁性体のセンサリング２８０を通るオープン磁路である。
【０１１５】
センサリング２８０は、同期電動機の回転子１１の側面に、シャフトと同心軸上に取付け、電動機ロータと一体になって回転する。回転子の回転に従って、磁性部と非磁性部とが交互に現れ、センサヨーク２１５Ａ，２１５Ｂと磁性部との間の等価ギャップの変化を、磁束量変化として、磁気センサ２２０Ａ，２２０Ｂで検出する。検出信号は、上位のコントローラにて位置検出処理を施すことで、電動機ロータの磁極位置を検出することが可能となる。
【０１１６】
ここで、センサ磁石２４０Ａ，２４０Ｂに強力なネオジウム磁石等を用いればオープン磁路でも検出できるが、残留磁束密度の比較的小さいフェライト磁石などを用いて安価な構成とする場合にはリーターンヨークを付加することが好ましいものである。
【０１１７】
本実施形態のセンサリング２８０は、図９に示した電動機に対しても、用いることができる。
【０１１８】
本実施形態では、センサリング２８０は、電動機ロータと一体になって回転すれば良いので、同期電動機の内部、あるいは外部のいずれかに磁気センサ部２００Ｄを取り付ければよいため、取付自由度を向上することができる。
【０１１９】
次に、図１４を用いて、本発明の第５の実施形態による位置検出装置の構成及び動作について説明する。  
図１４は、本発明の第５の実施形態による位置検出装置の構成を示す斜視図である。なお、図１〜図３と同一符号は、同一部分を示している。
【０１２０】
本実施形態の磁気センサ部２００Ｅは、図１４に示したセンサリング２８０の代わりに、磁性体のリングに側端部に、凹部２８０Ｙと、凸部２８０Ｚを等間隔で配置し、磁性部と非磁性部とが交互に配置されたロータとしたセンサリング２８０Ｘを用いた点に特徴がある。
【０１２１】
図において、位置検出のための第１の磁路は、センサ磁石２４０Ａを起磁力として、磁気センサ２２０Ａ、センサヨーク２１５Ａを通り、ギャップを介してリング上の磁性体のセンサリング２８０Ｘを通るオープン磁路である。また、第２の磁路は、センサ磁石２４０Ｂを起磁力として磁気センサ２２０Ｂ、センサヨーク２１５Ｂを通り、ギャップを介してリング上の磁性体のセンサリング２８０Ｘを通るオープン磁路である。
【０１２２】
センサリング２８０Ｘは、同期電動機の回転子１１の側面に、シャフトと同心軸上に取付け、電動機ロータと一体になって回転する。回転子の回転に従って、磁性部と非磁性部とが交互に現れ、センサヨーク２１５Ａ，２１５Ｂと磁性部との間の等価ギャップの変化を、磁束量変化として、磁気センサ２２０Ａ，２２０Ｂで検出する。検出信号は、上位のコントローラにて位置検出処理を施すことで、電動機ロータの磁極位置を検出することが可能となる。
【０１２３】
ここで、センサ磁石２４０Ａ，２４０Ｂに強力なネオジウム磁石等を用いればオープン磁路でも検出できるが、残留磁束密度の比較的小さいフェライト磁石などを用いて安価な構成とする場合にはリーターンヨークを付加することが好ましいものである。
【０１２４】
本実施形態のセンサリング２８０Ｘは、図９に示した電動機に対しても、用いることができる。
【０１２５】
本実施形態では、センサリング２８０Ｘは、電動機ロータと一体になって回転すれば良いので、同期電動機の内部、あるいは外部のいずれかに磁気センサ部２００Ｅを取り付ければよいため、取付自由度を向上する。
【０１２６】
また、センサヨーク２１５Ａ，２１５Ｂの取り付け方向は、回転子１１の軸方向と平行であるため、電動機の半径方向にスペースがない場合でも取り付けられ、磁気センサ部２００Ｅの取付自由度を向上する。
【図面の簡単な説明】
【０１２７】
【図１】本発明の第１の実施形態による位置検出装置を搭載した同期電動機の構成を示す断面図である。
【図２】本発明の第１の実施形態による位置検出装置の構成を示す縦断面図である。
【図３】本発明の第１の実施形態による位置検出装置の構成を示す横断面図である。
【図４】本発明の第１の実施形態による位置検出装置における磁気センサ部と同期電動機の爪状磁極との位置関係を示す斜視図である。
【図５】本発明の第１の実施形態による位置検出装置を搭載した同期電動機を用いる電動４輪駆動車の構成を示すシステム構成図である。
【図６】本発明の第１の実施形態による位置検出装置の検出信号により磁極位置を検出する磁極位置検出手段のブロック図である。
【図７】本発明の第１の実施形態による位置検出装置の検出信号による磁極位置検出方法の原理説明図である。
【図８】本発明の第１の実施形態による位置検出装置の検出信号による磁極位置検出手段の処理内容を示すフローチャートである。
【図９】本発明の第１の実施形態による位置検出装置を搭載した同期電動機の構成を示す断面図である。
【図１０】本発明の第１の実施形態による位置検出装置を搭載した同期電動機を用いるハイブリッド自動車の構成を示すシステム構成図である。
【図１１】本発明の第２の実施形態による位置検出装置を搭載した同期電動機の構成を示す断面図である。
【図１２】本発明の第３の実施形態による位置検出装置の構成を示す斜視図である。
【図１３】本発明の第４の実施形態による位置検出装置の構成を示す斜視図である。
【図１４】本発明の第５の実施形態による位置検出装置の構成を示す斜視図である。
【符号の説明】
【０１２８】
９…ポールコア
１００…車両
１１０…エンジン
１２０…同期電動機
１６０…インバータ
２００…磁気センサ部
２１０Ａ，２１０Ｂ…センサヨーク
２２０Ａ，２２０Ｂ…磁気センサ
２３０…リターンヨーク
２４０…センサ磁石
２８０…センサリング
【図１】
2008178227.tif 000003
【図２】
2008178227.tif 000004
【図３】
2008178227.tif 000005
【図４】
2008178227.tif 000006
【図５】
2008178227.tif 000007
【図６】
2008178227.tif 000008
【図７】
2008178227.tif 000009
【図８】
2008178227.tif 000010
【図９】
2008178227.tif 000011
【図１０】
2008178227.tif 000012
【図１１】
2008178227.tif 000013
【図１２】
2008178227.tif 000014
【図１３】
2008178227.tif 000015
【図１４】
2008178227.tif 000016